(57)【要約】【課題】ミルに給炭される石炭の水分率に拘わらず、発電機の負荷上昇に合わせて出炭量を増加する場合の応答性を改善する。【解決手段】石炭粉砕装置の制御装置５０は、ミルにより石炭を粉砕して生成した微粉炭を、発電機を駆動する蒸気を発生させるボイラに出炭する石炭粉砕装置に備えられ、前記ミルの温度を制御する石炭粉砕装置の制御装置５０であって、前記ミルにおける各種のプロセス値から、出炭される微粉炭の出炭水分率Ｍ２を演算する出炭水分率演算部５１と、出炭水分率Ｍ２のＰＩＤ出力値を補正量として前記ミルへのミル温度指令値に加算することにより、該ミル温度指令値を出炭水分率Ｍ２の状態により調整する温度指令値補正部５２と、発電機の負荷変動時に、出炭水分率Ｍ２から求めた温度制御の先行信号Ｓを前記ミル温度指令値に付加し、該ミル温度指令値を補正する先行信号演算部５３と、を具備してなることを特徴とする。【選択図】図２
2014117657.tif 000002
【特許請求の範囲】
【請求項１】
ミルにより石炭を粉砕して生成した微粉炭を、発電機を駆動する蒸気を発生させるボイラに出炭する石炭粉砕装置に備えられ、前記ミルの温度を制御する石炭粉砕装置の制御装置であって、
前記ミルにおける各種のプロセス値から、出炭される前記微粉炭の出炭水分率を演算する出炭水分率演算部と、
前記出炭水分率のＰＩＤ出力値を補正量として前記ミルへのミル温度指令値に加算することにより、該ミル温度指令値を前記出炭水分率の状態により調整する温度指令値補正部と、
前記発電機の負荷変動時に、前記出炭水分率から求めた温度制御の先行信号を前記ミル温度指令値に付加し、該ミル温度指令値を補正する先行信号演算部と、
を具備してなることを特徴とする石炭粉砕装置の制御装置。
【請求項２】
前記先行信号演算部は、前記発電機の負荷変化幅が大きい程、前記先行信号の変化幅を大きく設定することを特徴とする請求項１に記載の石炭粉砕装置の制御装置。
【請求項３】
前記先行信号演算部は、前記発電機の負荷変化率が大きい程、前記先行信号の上げ側変化率を大きく設定することを特徴とする請求項１または２に記載の石炭粉砕装置の制御装置。
【請求項４】
前記先行信号演算部は、前記出炭水分率が高くなる程、前記先行信号の変化幅を大きく設定することを特徴とする請求項１から３のいずれかに記載の石炭粉砕装置の制御装置。
【請求項５】
前記先行信号演算部は、前記出炭水分率が高くなる程、前記先行信号の変化率のレートリミットを大きく設定することを特徴とする請求項１から４のいずれかに記載の石炭粉砕装置の制御装置。
【請求項６】
前記出炭水分率は、前記ミルに給炭される石炭の水分率と、前記ミルにおける乾燥効率との相関関係から演算されることを特徴とする請求項１から５のいずれかに記載の石炭粉砕装置の制御装置。
【請求項７】
ミルにより石炭を粉砕して生成した微粉炭を、発電機を駆動する蒸気を発生させるボイラに出炭する石炭粉砕装置に備えられ、前記ミルの温度を制御する石炭粉砕装置の制御方法であって、
前記ミルにおける各種のプロセス値から、出炭される前記微粉炭の出炭水分率を演算し、
前記出炭水分率のＰＩＤ出力値を補正量として前記ミルへのミル温度指令値に加算することにより、該ミル温度指令値を前記出炭水分率の状態により調整するとともに、
前記発電機の負荷変動時に、前記出炭水分率から求めた温度制御の先行信号を前記ミル温度指令値に付加して該ミル温度指令値を補正する、
ことを特徴とする石炭粉砕装置の制御方法。
【発明の詳細な説明】
【技術分野】
【０００１】
本発明は、発電プラントのボイラ等に供給される微粉炭を生成する石炭粉砕装置の制御装置およびその制御方法に関するものである。
【背景技術】
【０００２】
石炭焚き火力発電所では、石炭粉砕装置によって石炭を粉砕して微粉炭を生成し、この微粉炭をボイラに供給して効率良く燃焼させている。石炭を粉砕する際に石炭の水分率が高いと、石炭粉砕装置のミル（粉砕部）における粉砕性が低下するとともに、粉砕後に分級器にて所定の粒径以下の微粉炭だけを分級してボイラ側に送り出す際に、微粉炭同士が凝集して粒径が大きくなってしまい、分級器を通過できる大きさを超えるために粉砕部に戻される率が増加する。したがって、微粉炭の出炭量が減少してしまう。
【０００３】
このため、水分率の高い石炭を給炭する時には、ミルの内部に供給される空気流の温度を昇温することにより、微粉炭の水分を乾燥させてボイラに供給している。一般に、ミルには熱空気を供給する熱空気ダンパと、冷空気（常温の空気）を供給する冷空気ダンパとが設けられており、これらのダンパの開度比によってミル内部温度が調節されている。ミル内部の温度を昇温する場合は熱空気の供給割合を多くする。
【０００４】
発電機の運転負荷の上昇に伴ってミルへの給炭量Ｃ１を増加させる場合に、給炭される石炭の水分率が高いと、ミル内部温度を昇温させたとしても、ミルからの出炭量の増加に応答遅れが生じ、この応答遅れがボイラの蒸気温度や蒸気圧力制御の外乱となって安定した制御を行うことができなかった。
【０００５】
従来では、このような石炭の水分率に起因する出炭遅れを抑制するべく、特許文献１に記載されているボイラ制御装置のように、ミルの入口空気温度、出口空気温度、ミルケーシング温度、石炭温度、石炭流量、およびミルの入口空気流量等からボイラの入熱と出熱を算出し、これらのバランスから石炭の性状や水分率を計算し、それに見合うように分級器を駆動してミル出口の微粉炭粒度を調整するものがあった。
【先行技術文献】
【特許文献】
【０００６】
【特許文献１】特許第４３７４２９８号公報
【発明の概要】
【発明が解決しようとする課題】
【０００７】
しかしながら、特許文献１に開示されているボイラ制御装置は、あくまでも石炭の性状や水分率に応じて微粉炭粒度を調整するものであるため、発電機の負荷が上昇させる場合には、それに見合う出炭量となるまでに応答の遅れが発生し、発電機の負荷が上昇するまでにタイムラグが発生してしまう問題があった。
【０００８】
本発明は上記の事情に鑑みてなされたものであり、ミルに給炭される石炭の水分率に拘わらず、発電機の負荷上昇に合わせて出炭量を増加する場合の応答性を改善することのできる石炭粉砕装置の制御装置および制御方法を提供することを目的とする。
【課題を解決するための手段】
【０００９】
上記課題を解決するために、本発明は以下の手段を採用する。
即ち、本発明に係る石炭粉砕装置の制御装置は、ミルにより石炭を粉砕して生成した微粉炭を、発電機を駆動する蒸気を発生させるボイラに出炭する石炭粉砕装置に備えられ、前記ミルの温度を制御する石炭粉砕装置の制御装置であって、前記ミルにおける各種のプロセス値から、出炭される前記微粉炭の出炭水分率を演算する出炭水分率演算部と、前記出炭水分率のＰＩＤ出力値を補正量として前記ミルへのミル温度指令値に加算することにより、該ミル温度指令値を前記出炭水分率の状態により調整する温度指令値補正部と、前記発電機の負荷変動時に、前記出炭水分率から求めた温度制御の先行信号を前記ミル温度指令値に付加し、該ミル温度指令値を補正する先行信号演算部と、を具備してなることを特徴とする。
【００１０】
上記構成によれば、出炭水分率演算部において、ミルから出炭される微粉炭の出炭水分率が演算され、温度指令値補正部において、前記出炭水分率のＰＩＤ出力値が補正量としてミル温度指令値に加算されて該ミル温度指令値が出炭水分率の状態により調整される。そして、発電機の負荷変動時には、先行信号演算部において、前記出炭水分率から求めた温度制御の先行信号がミル温度指令値に付加され、ミル温度指令値が補正される。
【００１１】
このため、例えばミルに給炭される石炭の水分率が高い時に発電機負荷を高めることになっても、先行信号演算部が温度制御の先行信号をミル温度指令値に付加することにより、実際の出炭タイミングに先行してミル温度が上昇制御され、給炭される石炭および粉砕された微粉炭の乾燥が促進される。したがって、発電機の負荷上昇に合わせて出炭量を増加する場合の応答性を改善することができる。
【００１２】
上記構成において、前記先行信号演算部は、前記発電機の負荷変化幅が大きい程、前記先行信号の変化幅を大きくすることが好ましい。
【００１３】
また、上記構成において、前記先行信号演算部は、前記発電機の負荷変化率が大きい程、前記先行信号の上げ側変化率を大きく設定することが好ましい。
さらに、上記構成において、前記先行信号演算部は、前記出炭水分率が高くなる程、前記先行信号の変化幅を大きく設定することが好ましい。
【００１４】
さらにまた、上記構成において、前記先行信号演算部は、前記出炭水分率が高くなる程、前記先行信号の変化率のレートリミットを大きく設定することが好ましい。
【００１５】
上記の好ましい各設定により、出炭量を増加する際の応答性をより向上させることができる。
【００１６】
また、上記構成において、前記出炭水分率は、前記ミルに給炭される石炭の水分率と、前記ミルにおける乾燥効率との相関関係から演算されることが好ましい。
【００１７】
これにより、ミルから出炭される微粉炭の水分率を正確に算出し、先行信号演算部において演算される先行信号の値を最適化して出炭応答性を向上させることができる。
【００１８】
また、本発明に係る石炭粉砕装置の制御方法は、ミルにより石炭を粉砕して生成した微粉炭を、発電機を駆動する蒸気を発生させるボイラに出炭する石炭粉砕装置に備えられ、前記ミルの温度を制御する石炭粉砕装置の制御方法であって、前記ミルにおける各種のプロセス値から、出炭される前記微粉炭の出炭水分率を演算し、前記出炭水分率のＰＩＤ出力値を補正量として前記ミルへのミル温度指令値に加算することにより、該ミル温度指令値を前記出炭水分率の状態により調整するとともに、前記発電機の負荷変動時に、前記出炭水分率から求めた温度制御の先行信号を前記ミル温度指令値に付加して該ミル温度指令値を補正することを特徴とする。
【００１９】
上記制御方法によれば、例えばミルに給炭される石炭の水分率が高い時に発電機負荷を高めることになっても、温度制御の先行信号がミル温度指令値に付加されることにより、実際の出炭タイミングに先行してミル温度が上昇制御され、給炭される石炭および粉砕された微粉炭の乾燥が促進される。したがって、発電機の負荷上昇に合わせて出炭量を増加する場合の応答性を改善することができる。
【発明の効果】
【００２０】
以上のように、本発明に係る石炭粉砕装置の制御装置および制御方法によれば、ミルに給炭される石炭の水分率に拘わらず、発電機の負荷上昇に合わせて出炭量を増加する場合の応答性を改善することができる。
【図面の簡単な説明】
【００２１】
【図１】本発明を適用可能な石炭粉砕装置の一例を示す縦断面図である。
【図２】本発明の一実施形態に係る制御装置の構成を示すブロック図である。
【図３】出炭水分率を求める制御フロー図である。
【図４】先行信号演算部における先行信号の求め方を示す制御フロー図である。
【発明を実施するための形態】
【００２２】
以下、図１〜図４に基づいて本発明の実施形態について説明する。
図１は、本発明を適用可能な石炭粉砕装置の一例を示す縦断面図である。この石炭粉砕装置１は、発電プラントのボイラに供給される微粉炭を生成する周知の構成を持つものであり、そのミル（粉砕部）２が中空の円筒形状をなすハウジング（筐体）３を備えている。このハウジング３の天頂中央部から石炭供給管４がハウジング３の内部に鉛直に突入するように装着され、その下端部がハウジング３の内部に開放されている。
【００２３】
ハウジング３内の下部には、石炭供給管４の開放口に対向して皿状の粉砕テーブル５が配置され、テーブル駆動機構６により回転駆動されるようになっている。そして、この粉砕テーブル５の上面の周縁部に対して離接可能に複数の粉砕ローラ７が配置されている。これらの粉砕ローラ７は支持装置８によって回転自在に支持されるとともに、押圧駆動装置９によって粉砕テーブル５に押し付けられている。
【００２４】
ハウジング３の内部において、石炭供給管４の周囲には遠心式の分級器１１が回転自在に軸支され、ハウジング３の上部に設置された分級器駆動装置１２によって回転駆動されるようになっている。分級器１１の回転速度は後述する制御装置によって制御される。
【００２５】
ハウジング３の、粉砕テーブル５よりも低い位置には一次空気供給管１３が接続されている。この一次空気供給管１３は、図示しない空気供給装置から供給される一次空気をハウジング３内に高速で供給する。この一次空気は、ボイラの排熱等と熱交換されて加熱された熱空気と、常温の冷空気とが所定の割合で混合された熱気であり、図示しない熱空気ダンパと冷空気ダンパの開度比によりハウジング３の内部温度が調整される。
【００２６】
また、ハウジング３の天頂部には出口管１５が接続されている。この出口管１５は図示しないボイラの火炉（バーナ）に通じている。
【００２７】
石炭供給管４は、図示しない石炭供給装置から粉砕テーブル５の上に石炭を供給する。石炭供給管４には、給炭量Ｃ１を計測する流量センサ１７と、給炭温度を計測する温度センサ１８とが設けられている。
また、一次空気供給管１３には、一次空気の流量、即ちミル２の入口空気流量を計測する流量センサ２０と、一次空気の温度、即ちミル２の入口空気温度を計測する温度センサ２１とが設けられている。
さらに、出口管には、ミル２の出口圧力を計測する圧力センサ２３と、ミル２の出口空気温度を計測する温度センサ２４と、ミル２と火炉との差圧を計測する圧力センサ２５とが設けられている。
【００２８】
このように構成された石炭粉砕装置１において、石炭供給管４から粉砕テーブル５の上に供給された石炭は、粉砕テーブル５の回転に伴う遠心力によって外周側に移動し、粉砕ローラ７と粉砕テーブル５との間に入り込んで粉砕される。この時、粉砕ローラ７は押圧駆動装置９によって粉砕テーブル５側に押圧されているために、粉砕テーブル５の回転に連動して回転する。
【００２９】
石炭は粉砕ローラ７に粉砕されて微粉炭となり、粉砕テーブル５の下部の一次空気供給管１３からミル２（ハウジング３）の内部に高速で流入する一次空気により上方に搬送され、分級器１１によって粒度を分級される。そして、所定の粒径以下の微細な粒子のみが空気と共に出口管１５からボイラの火炉に供給される。微細な粒子は着火性が良く、ボイラのバーナで効率良く燃焼することができる。一方、粒径の大きな粒子は分級器１１の回転羽根ではじかれて粉砕テーブル５上に落下し、再び粉砕ローラ７により粉砕され、粒径をより小さくされて分級器１１を経てボイラの火炉に供給される。
【００３０】
一次空気供給管１３からミル２の内部に供給される一次空気は、前述のように、高温な熱空気と常温の冷空気とが所定の割合で混合された熱気であるため、ミル２の内部に給炭される石炭と、この石炭が粉砕されて生成された微粉炭とに含有されている水分を乾燥させることができる。石炭および微粉炭の水分率が高くなる程、熱空気ダンパの開度割合が大きくされて一次空気の温度が高くなるように制御される。
【００３１】
図２は、本発明の一実施形態に係る制御装置の構成を示すブロック図である。
この制御装置５０は、ミル２の温度、好ましくは温度センサ２４によって計測されるミル２の出口空気温度を制御するものであり、出炭水分率演算部５１と、温度指令値補正部５２と、先行信号演算部５３とを具備して構成されている。
【００３２】
出炭水分率演算部５１は、ミル２における各種のプロセス値から、出炭される前記微粉炭の出炭水分率Ｍ２を演算する。ここで、各種のプロセス値としては、流量センサ２０によって計測されるミル入口空気流量と、温度センサ２１によって計測されるミル入口空気温度と、温度センサ２４によって計測されるミル出口空気温度と、流量センサ１７によって計測される石炭供給管４からの石炭の給炭量Ｃ１と、温度センサ１８によって計測される給炭温度と、圧力センサ２５によって計測されるミル２とボイラの火炉(非図示)との間の差圧と、圧力センサ２３によって計測されるミル出口圧力、等を挙げることができる。
【００３３】
出炭水分率演算部５１によって演算された出炭水分率Ｍ２は、目標となる出炭水分率設定値との差分５５を算定され、この差分５５が温度指令値補正部５２によって給炭量Ｃ１の指令値に対するミル出口空気温度指令値（ミル温度指令値）への補正量となる。なお、関数発生部５７において、ミル出口空気温度指令値と給炭量指令値との関係は、図２中のグラフ２Ａに示すようになっている。温度指令値補正部５２は、演算された出炭水分率Ｍ２の差分５５のＰＩＤ出力値を補正量として、関数発生部５７において決定された補正前のミル出口空気温度指令値に加算し、これにより出炭水分率Ｍ２の状態に応じてミル出口空気温度指令値が補正される。
【００３４】
ところで、出炭水分率Ｍ２は、ミル２に給炭される石炭の水分率と、ミル２における乾燥効率ηとの相関関係から設定するのが好ましい。図２に示す出炭水分率演算部５１においては、出炭水分率Ｍ２を求めるために、図３に示すような制御フローが実行される。
【００３５】
即ち、まず出炭量演算部５１ａにおいて、ミル火炉差圧と、ミル入口空気流量と、ミル出口空気温度と、ミル出口圧力とから、ミル２からの出炭量Ｃ２が演算される。要するに、ミル２に流入する空気と、ミル２から流出する空気との差圧から、流通する空気にどれだけの出炭量Ｃ２が含まれているかが演算される。
【００３６】
次に、給炭水分率演算部５１ｂにおいて給炭水分率Ｍ１が演算される。ここでは、火炉内の熱バランス（入熱と出熱の比率）から給炭の水分率が算出するべく、ミル入口空気流量と、ミル入口空気温度と、ミル出口空気温度と、給炭量Ｃ１と、給炭温度と、出炭量演算部５１ａにて演算された出炭量Ｃ２と、後述する乾燥効率ηとから給炭水分率Ｍ１が演算される。この給炭水分率Ｍ１の演算は、ミル２が静定中の条件下で行う必要がある。
【００３７】
さらに、乾燥効率テーブル５１ｃにおいて乾燥効率ηが設定される。この乾燥効率テーブル５１ｃは、給炭水分率演算部５１ｂで演算された給炭水分率Ｍ１の値と、ミル入口空気流量と、ミル出口空気温度と、給炭量Ｃ１とをパラメータにして乾燥効率ηの仮定値が設定される。
【００３８】
そして、出炭水分率演算部５１において、給炭水分率演算部５１ｂで演算された給炭水分率Ｍ１と、乾燥効率テーブル５１ｃで設定された乾燥効率ηの仮定値と、給炭量Ｃ１の値とから、出炭水分率Ｍ２が演算される。
【００３９】
上記の制御において、乾燥効率テーブル５１ｃで設定された乾燥効率ηの仮定値は、給炭水分率演算部５１ｂに代入されて給炭水分率Ｍ１の演算に用いられ、この給炭水分率演算部５１ｂで演算された給炭水分率Ｍ１が再び乾燥効率テーブル５１ｃに代入されて乾燥効率ηの仮定値が再設定され…、というルーティンが反復される。この反復演算は、ミル２の入口側の乾燥効率ηと出口側の乾燥効率ηとの差が所定の範囲内に収斂するまで繰り返される。このような反復演算を行うのは、給炭の水分率が定まらないと乾燥効率ηを算出できないためである。
【００４０】
このように、ミル２に給炭される石炭の水分率Ｍ１と、ミル２における乾燥効率ηとの相関関係を踏まえて出炭水分率Ｍ２を演算することにより、ミル２から出炭される微粉炭の水分率Ｍ２を正確に算出することができる。
【００４１】
ここまでの制御によれば、ミル２に給炭される石炭の水分率Ｍ１が高い場合であっても、それに応じてミル２の内部温度が高められ、ミル２内に給炭される石炭および粉砕された微粉炭の乾燥が促進され、発電機の負荷が変動する場合における応答性をある程度まで改善することができる。
【００４２】
さらに、図２に示すように、発電機の負荷が変動する時には、先行信号演算部５３において出炭水分率Ｍ２から求められた温度制御の先行信号Ｓが、補正後のミル出口空気温度指令値に付加され、このミル出口空気温度指令値がさらに補正される。先行信号演算部５３には、発電機負荷と、発電機負荷指令の変化幅および変化率と、出炭水分率演算部５１において演算された出炭水分率Ｍ２とが代入され、先行信号Ｓが演算される。
【００４３】
図２中のグラフ２Ｂに示すように、先行信号演算部５３は、発電機の負荷変化幅Ｈａが大きい程、先行信号Ｓの変化幅Ｈｂを大きく設定する。また、先行信号演算部５３は、発電機の負荷変化率Ｒａが大きい程、先行信号Ｓの上げ側変化率Ｒｂを大きく設定する。つまり、上げ側変化率Ｒｂの傾斜を急角度に設定する。なお、下げ側変化率Ｒｃについては、上げ側変化率Ｒｂのような急角度にする必要は特にない。また、上げ側変化率Ｒｂから下げ側変化率Ｒｃに移行する間には所定の保持時間が設けられる。
【００４４】
図４は、先行信号演算部５３における先行信号Ｓの求め方を示す制御フロー図である。先行信号演算部５３には５つの関数発生部５３ａ〜５３ｅが設けられている。まず、関数発生部５３ａにおいて、グラフ４Ａに示すように、発電機負荷帯（５０％，６０％，７０％…等）に応じて、ベースとなる補正量の曲線が関数として設定される。そして、発電機負荷の上げ幅（負荷変化幅Ｈａ）が大きい程、ミル出口空気温度の上昇幅が大きくなるように先行信号Ｓの変化幅Ｈｂが大きく設定される。
【００４５】
また、関数発生部５３ｂにおいては、グラフ４Ｂに示すように、発電機の負荷変化率Ｒａが大きくなる程（傾斜が急になる程）、先行信号Ｓの変化率、特にここでは上げ側変化率Ｒｂ（図２参照）が大きくなるように（傾斜が急になるように）演算係数に設定される。
【００４６】
さらに、関数発生部５３ｃにおいては、グラフ４Ｃに示すように、出炭水分率Ｍ２が高くなる程、先行信号Ｓの変化幅Ｈｂが大きくなるように演算係数が設定される。
【００４７】
また、関数発生部５３ｄにおいては、グラフ４Ｄに示すように、出炭水分率Ｍ２が高くなる程、先行信号Ｓの温度上げ側の変化率のレートリミットが大きく設定され、関数発生部５３ｅにおいては、グラフ４Ｅに示すように、出炭水分率Ｍ２が高くなる程、先行信号Ｓの温度下げ側の変化率のレートリミットが大きく設定される。
【００４８】
制御装置５０は以上のように構成されている。
上記の説明の通り、この制御装置５０は、ミル２における各種のプロセス値から、出炭される微粉炭の出炭水分率Ｍ２を演算する出炭水分率演算部５１と、この出炭水分率Ｍ２のＰＩＤ出力値を補正量としてミル２へのミル温度指令値に加算することにより、該ミル温度指令値を出炭水分率Ｍ２の状態により調整する温度指令値補正部５２と、発電機の負荷変動時に、出炭水分率Ｍ２から求めた温度制御の先行信号Ｓをミル温度指令値に付加し、該ミル温度指令値を補正する先行信号演算部５３と、を具備している。
【００４９】
そして、発電機の負荷変動時には、先行信号演算部５３において、出炭水分率Ｍ２から求めた温度制御の先行信号Ｓがミル温度指令値に付加され、ミル温度指令値が補正される。
【００５０】
このため、例えばミル２に給炭される石炭の水分率が高い時に発電機負荷を高める運転状況になっても、先行信号演算部５３が温度制御の先行信号Ｓをミル温度指令値に付加することにより、実際の出炭タイミングに先行してミル２の出口空気温度が上昇制御され、給炭される石炭および粉砕された微粉炭の乾燥が促進される。したがって、発電機の負荷上昇に合わせて出炭量Ｃ２を増加する場合の応答性を飛躍的に改善することができる。
【００５１】
また、この制御装置５０において、先行信号演算部５３は、発電機の負荷変化幅Ｈａが大きい程、先行信号Ｓの変化幅Ｈｂを大きく設定するため、ミル２の出口空気温度の上げ幅を予め大きくすることにより、負荷変化幅Ｈａが大きい場合に、ミル２での乾燥をより早めて出炭量の応答遅れを低減させ、負荷追従性を改善することができる。
【００５２】
さらに、先行信号演算部５３は、発電機の負荷変化幅Ｈａが大きい程、先行信号Ｓの上げ側変化率を大きく設定するため、負荷変化幅Ｈａに応じて予めミル２の出口空気温度の上げ幅を大きくすることにより、負荷変化幅Ｈａが大きい場合に、ミル２での乾燥をより早めて出炭量の応答遅れを低減させ、負荷追従性を改善することができる。
【００５３】
また、先行信号演算部５３は、出炭水分率Ｍ２が高くなる程、先行信号Ｓの変化幅を大きく設定するため、出炭水分率Ｍ２に応じて予めミル２の出口空気温度の上げ幅を大きくし、出炭水分率Ｍ２が大きい場合のミル２での乾燥遅れを低減させることにより、出炭量の応答遅れを低減させ、負荷追従性を改善することができる。
【００５４】
さらにまた、先行信号演算部５３は、出炭水分率Ｍ２が高くなる程、先行信号Ｓの変化率のレートリミットを大きく設定するため、出炭水分率Ｍ２に応じて予めミル２の出口空気温度を上げる速度を速め、出炭水分率Ｍ２が大きい場合のミル２での乾燥遅れを低減させることにより、出炭量の応答遅れを低減させ、負荷追従性を改善することができる。
【００５５】
また、この制御装置５０において、ミル２から出炭される微粉炭の出炭水分率Ｍ２は、ミル２に給炭される石炭の水分率と、ミル２における乾燥効率ηとの相関関係から演算されるため、出炭水分率Ｍ２を正確に算出し、先行信号演算部５３において演算される先行信号Ｓの値を最適化して出炭応答性を向上させることができる。
【００５６】
こうして、本発明に係る石炭粉砕装置の制御装置および制御方法によれば、ミル２に給炭される石炭の水分率に拘わらず、発電機の負荷上昇に合わせて出炭量Ｃ２を増加する場合の応答性を改善することができる。
【００５７】
なお、本発明は上記実施形態の構成のみに限定されるものではなく、本発明の要旨を逸脱しない範囲内において適宜変更や改良を加えることができ、このように変更や改良を加えた実施形態も本発明の権利範囲に含まれるものとする。
【００５８】
例えば、上記実施形態においては、先行信号Ｓによってミル２の出口空気温度が先行調整されるように説明されているが、ミル２の入口空気温度やミル２の入口空気流量を先行調整するようにしてもよい。
【符号の説明】
【００５９】
１  石炭粉砕装置
２  ミル
５０  制御装置
５１  出炭水分率演算部
５２  温度指令値補正部
５３  先行信号演算部
Ｈａ  発電機の負荷変化幅
Ｈｂ  先行信号の変化幅
Ｍ１  給炭水分率
Ｍ２  出炭水分率
Ｒａ  発電機の負荷変化率
Ｒｂ  先行信号の上げ側変化率
Ｒｃ  先行信号の下げ側変化率
Ｓ  先行信号
η  ミルにおける乾燥効率
【図１】
2014117657.tif 000003
【図２】
2014117657.tif 000004
【図３】
2014117657.tif 000005
【図４】
2014117657.tif 000006